(57)【特許請求の範囲】
【請求項１】
電子式物品監視マーカーを非活動化させる装置であって、
同一平面上に位置する第１、第２及び第３コイルであって、前記第１及び第２コイルは円形であり第１軸上に配列され、前記第３コイルは前記第１軸に実質的に垂直な方向に前記第１及び第２コイルから離れて配置された第１、第２及び第３コイルと、
交流電流駆動信号によって前記第１、第２及び第３コイルを活動化させて前記電子式物品監視マーカーを非活動化させる交番磁界を発生させる手段とを、含んでなる装置。
【請求項２】
請求項１の装置であって、前記第３コイルは実質的に円形である装置。
【請求項３】
請求項２の装置であって、前記第１及び第２コイルは実質的に大きさが同じである装置。
【請求項４】
請求項３の装置であって、前記第３コイルの中心点は、前記第１及び第２コイルの接点から前記第１軸に垂直な方向に伸びる直線上に位置する装置。
【請求項５】
請求項３の装置であって、前記第３コイルは、前記第１及び第２コイルよりも実質的に大きい装置。
【請求項６】
請求項３の装置であって、前記第１軸に垂直な方向に延伸する直線上に前記第３コイルと共に位置する第４コイルをさらに含んでなる装置。
【請求項７】
請求項６の装置であって、前記第３及び第４コイルのサイズは前記第１及び第２コイルのサイズに実質的に等しい装置。
【請求項８】
請求項６の装置であって、前記第３及び第４コイルは、逆位相の交番電流を持つように活動化される装置。
【請求項９】
請求項８の装置であって、前記第１及び第３コイルは、逆位相の交番電流を持つように活動化される装置。
【請求項１０】
請求項１の装置であって、前記第１及び第３コイルは、逆位相の交番電流を持つように活動化される装置。
【請求項１１】
請求項１の装置であって、前記３つのコイルは互いに直列に接続された装置。
【請求項１２】
請求項１の装置であって、前記３つのコイルはすべてパンケーキコイルである装置。
【請求項１３】
請求項１の装置であって、前記３つのコイルが位置する共通の平面に平行かつ隣り合う平面に位置する平面状の磁気シートをさらに含んでなる装置。
【請求項１４】
請求項１の装置であって、
前記第１，第２及び第３コイルは実質的に平坦な上面を備えるハウジング内に配設され、前記電子式物品監視マーカーを非活動化させる前記交番磁界は前記ハウジング上面上のいずれの点においても２００Ｏｅのピーク振幅を超えない装置。
【請求項１５】
請求項１４の装置であって、前記磁界は前記ハウジング上面上のいずれの点においても１２５Ｏｅのピーク振幅を超えない装置。
【請求項１６】
請求項１５の装置であって、前記磁界は前記ハウジング上面上のいずれの点においても７５Ｏｅのピーク振幅を超えない装置。
【請求項１７】
電子式物品監視マーカーを非活動化させる装置であって、
同一平面上に位置する第１、第２及び第３円形コイルであって、前記第１円形コイルと前記第２円形コイルは大きさが同じである円形コイルと；
交流電流駆動信号により前記第１及び第２円形コイルが逆位相の交番電流を持つように活動化させて前記電子式物品監視マーカーを非活動化させる交番磁界を発生させる手段と；
を含んでなる装置。
【請求項１８】
請求項１７の装置であって、前記３つのコイルは全てパンケーキコイルである装置。
【請求項１９】
磁気機械式ＥＡＳマーカーを非活動化する方法であって、
実質的に平坦な上面と、前記上面の下において同一平面上に配設された第１、第２及び第３円形コイルを有する非活動化装置であって、前記第１及び第２円形コイルは第１軸上に一直線上に配設され、前記第３円形コイルは前記第１軸に実質的に垂直な方向に前記第１及び第２円形コイルから離れて配設され、前記非活動化装置は前記上面において交番磁界を発生させるために交流電流駆動信号によって活動化される非活動化装置を設置するステップと；
前記非活動化装置から上方への所定距離の範囲内の前記交番磁界において前記磁気機械式マーカーを前記非活動化装置の前記上面を横切るように動かすステップと；
を含んでなる方法。
【請求項２０】
請求項１９の方法であって、前記非活動化装置の前記上面は、第１水平方向の第１寸法を有し、前記第１水平方向に垂直な第２水平方向の前記第１寸法よりも小さな第２寸法を有し、前記マーカーを前記上面を横切るように動かすステップは前記第１方向に前記上面を横切るように前記マーカーを動かすことを含んでなる方法。
【請求項２１】
磁気機械式ＥＡＳマーカーを非活動化する方法であって、
実質的に平坦な上面と、前記上面の下において同一平面上に配設された第１、第２及び第３円形コイルを有する非活動化装置であって、前記第１及び第２円形コイルは第１軸上に一直線上に配設され、前記第３円形コイルは前記第１軸に実質的に垂直な方向に前記第１及び第２円形コイルから離れて配設され、前記交番磁界は前記上面上のいずれの点においても２００Ｏｅを超えないピーク振幅を有し、前記非活動化装置は前記上面において交番磁界を発生させるために交流電流駆動信号によって活動化される非活動化装置を設置するステップと；
前記非活動化装置から上方への所定距離の範囲内において前記磁気機械式マーカーを前記非活動化装置の前記上面を横切るように動かすステップと；
を含んでなる方法。
【請求項２２】
請求項２１の方法であって、前記交番磁界は前記非活動化装置の前記上面のいずれの点においても１２５Ｏｅを超えないピーク振幅を有する方法。
【請求項２３】
請求項２２の方法であって、前記交番磁界は前記非活動化装置の前記上面のいずれの点においても７５Ｏｅを超えないピーク振幅を有する方法
【発明の詳細な説明】
技術分野
本発明は、電子式物品監視（EAS）に関し、特に、EASマーカーを非活動化する、いわゆる「非活動化装置」に関する。
背景技術
電子式物品監視業界においてEASマーカーを商品に取り付けることが慣習化している。活動中のマーカーを店の商品から取り外そうとする行為を検出するために検出装置を店の出口に置き、そういった行為を検出した際にアラームを発生する。お客が支払いのために支払いカウンタに商品を差し出すと、チェックアウト店員はマーカーを非活動化させるために備えられた非活動化装置を用いてマーカーを非活動化させる。
良く知られた１つのタイプのマーカー（米国特許第４，５１０，４８９号に開示される）は「磁気機械式」マーカーと呼ばれる。磁気機械式マーカーは活動化要素と偏倚要素を含む。偏倚要素は、磁化されると、活動化要素に偏倚磁界を与え、この偏倚磁界は、所定周波数で交番する呼び掛け信号に曝されると活動化要素を所定周波数で機械的に共振させる。呼び掛け信号は検出装置によって生成され、検出装置は、また、呼び掛け信号によって引き起こされたマーカーの共振を検出する。
偏倚要素を消磁するのに十分な大きさの交番磁界にその偏倚要素を曝すことによって磁気機械式マーカーを非活動化させることができる。偏倚要素が消磁された後、マーカーの共振周波数は前記所定の周波数から実質的にシフトし、呼び掛け信号に対するマーカーの応答は、あまりにその振幅が小さくて、検出装置によってもはや検出されない。１つの公知のタイプの非活動化装置は、交流電流信号によって活動化されて非活動化磁界を発生させる１又は２以上のコイルを含む。このタイプの非活動化装置は米国特許第５，３４１，１２５号に開示されている。
他の公知のタイプの非活動化装置は、永久磁石の１つのアレイ又はそれ以上のアレイであって、永久磁石の極の向きがアレイに沿って交互になっているアレイを含む。磁石アレイは、アレイ上の空間内で交番する磁界を与える。この磁界が偏倚要素に与えられると、偏倚要素の磁気ドメイン構造は、偏倚要素が活動化要素を活動状態にするのに必要な偏倚磁界をもはや与えないように変化する。永久磁石アレイを含む非活動化装置は、例えば、本願と同じ発明者であり、同じ譲受人である米国特許第５，５９４，４２０において開示されている。
どちらのタイプの非活動化装置も、しばしば、非活動化されるためにマーカーが取り付けられる平らな上面を備える背の低いパッド上のハウジングを備える。いわゆる「非活動化パッド」は小売店では同じように見える。
マーカー非活動化装置の構造に関して考慮されなければならないであろう１つの要素は、小売店内に存在する品物はマーカー非活動化装置によって生成される磁界に曝されることによって悪影響を受ける可能性があることである。そういった品物は、ビデオテープ、オーディオテープ、コンピュータソフトウェアのディスケット、事前に記録されたプログラム材料を含む製品等である。さらに、クレジットカードその他銀号カードは、マーカー非活動化装置によって生成される磁界によって内容が消去され、あるいは、みだされる磁性帯を典型的に備えている。
この問題に対する１つの公知のアプローチによれば、交互の向きを持つ永住磁石アレイのタイプの非活動化装置は全く小さい磁石を用いる構造であり、磁石アレイからの距離が大きくなれば磁界の強さは劇的に小さくなる。従って、カセットテープの外側に担持されたマーカーを非活動化するための磁石アレイに近づけることができ、カセット内の磁気テープは大きな磁界に曝されない。このアプローチの欠点は、非活動化がうまくいかないときに、マーカーを磁石アレイの極めて近くに持っていく必要があることである。
前記欠点に鑑みて、非活動化装置に対する別の設計事項、即ち、非活動化装置に対するマーカーの向きに関係なく、装置からある距離隔てた位置に置かれたマーカーを非活動化できるという信頼性のある作動が考慮される。交番磁界によって消磁されるマーカー偏倚要素は、交番磁界に対する偏倚要素の向きにかなり依存して変化する。即ち、偏倚要素を実質的に消磁するのに十分な強さを有する交番磁界は、偏倚要素の長さに沿って与えられるとき、偏倚要素の長さに対して横方向に与えられるならば、偏倚要素の磁気状態にほとんど又は全く影響を与えない。非活動化装置からある距離隔てた磁気機械式マーカーを非活動化装置に対するマーカーの向きに関係なく非活動化する問題は、本願と同じ発明者であり、同じ譲受人による１９９７年２月３日に出願された米国特許第  号（代理人整理番号Ｃ４−４５４）、発明の名称「磁気機械式EASマーカーのためのマルチ・フェイズモードマルチプルコイル距離非活動化装置（Multi-Phase Mode Multiple Coil Distance Deactivator for Magnetomechanical EAS Markers）」において言及されている。典型的な従来技術のコイルベースの非活動化装置において、５５０−６００Ｏｅ又はそれ以上のピークレベルを有する交番磁界が非活動化装置の上面で与えられ、装置の上面及び装置の上面からいくらか隔てた位置において信頼性のある非活動化がなされる。
一般に、ある距離隔てた磁気機械式マーカーをマーカーの向きに関係なく非活動化するという目標と、磁気メディア、クレジットカード等に好ましくない影響を与えることを避けるということの間でトレードオフを設けなればならない。ある距離隔てた磁気機械式マーカーをマーカーの向きに関係なく非活動化するという目標は特に重要になる。なぜなら、「ソースでのタッグ付け」、即ち、製造の際に、あるいは、製品の包装の際に製造プラント又は配送工場において製品にマーカーを付けることが極めて一般的なやり方となってきているからである。あるケースの場合、マーカーは商品の内部に取り付けられる。この場合、マーカーを非活動化装置の表面に当てることは困難であり、あるいは不可能である。
１９９６年８月２８に出願された米国特許出願第０８／６９７，６２９号（この出願は、本願と同じ発明者であり、同じ譲受人である）に開示される発明は、マーカーの信頼できる非活動化と、磁気の影響を受けやすい商品への害の防止との間のトレードオフを改善する見込みを与える。上記米国出願によれば、磁気機械式マーカーの偏倚要素は、磁気機械式マーカーの偏倚要素に従来用いられる材料よりも低い保磁性を有する材料で形成されているので、以前に用いられた磁界レベルよりも低い磁界レベルでもって信頼性のある非活動化を達成することができる。上記米国出願の開示は参照のためにここに組み入れられる。
発明の目的及び要約
本発明の主目的は、ビデオ店や磁気メディアを含む製品を特に販売する小売店に用いることに特に適する磁気機械式EASマーカーを非活動化させる装置を提供することにある。
本発明のさらに特別な目的は、磁気メディア製品に対する悪影響を最小限にし、あるいは、取り除く非活動化手段を提供することにある。
本発明の別の目的は、ラベルの向きの違いにかかわらず信頼できる作動を行う非活動化装置を提供することにある。
本発明のさらに別の目的は、従来の装置と比べて低電力レベルで作動する非活動化装置を提供することにある。
本発明のさらに別の目的は、従来の装置と比べて低コストの非活動化装置を提供することにある。
発明の１つの態様によれば、同一平面上にある３つのコイルであって、第１及び第２コイルは共に円形であり互いに第１軸上で１直線上に配設され、第３コイルは、前記第１軸から実質的に垂直な方向に前記第１及び第２軸から離れて位置する。装置は、さらに、交流電流駆動信号によってこれらのコイルを活動化する電気回路を含む。
第３コイルもまた実質的に円形であり、第１及び第２コイルは実質的にサイズが等しい。第３コイルは第１及び第２コイルよりも実質的に大きくすることができるし、または、第１及び第２コイルと実質的に同じサイズとすることもできる。第３コイルが第１及び第２コイルと同じ大きさの場合、好ましくは、第１軸に垂直な前記方向に第３コイルと一直線上にサイズが第１及び第２コイルと同じの第４コイルを設ける。ケースによって３つ又は４つのコイルは互いに直列に連結され、各コイルは、好ましくは、コイルの平面に直角な方向に極めて薄い、いわゆる「パンケーキコイル」であり、また、好ましくは、オイルの平面に直角な方向に、ワイヤを２，３回巻いた厚みを超えない。
装置はまた好ましくは、コイルの共通な面に平行で隣り合う面内に平面磁気シートを含む。第１及び第２コイルの接点において互いに強化電流を与えるように逆位相で第１及び第２コイルを活動化させることが好ましい。
本発明の別の態様によれば、電子式物品監視マーカーを非活動化させる装置であって、実質的に平坦な上面を有するハウジングと、ハウジング内に配設されハウジングの上面のいかなる点においても２００Ｏｅのピーク振幅を超えない、マーカーを非活動化するための磁界を形成する機構とを含んでなる非活動化装置が提供される。代替的に、この態様の装置は、ハウジングの上面のいかなる点においても非活動化磁界のピーク振幅が１２５Ｏｅを超えないように、あるいは、７−５Ｏｅを超えないように制限するより厳しい基準に従い構成される。
本発明に従い提供される非活動化装置は、磁気材料メディアやクレジットカードに害を与える危険性を最小にし、あるいは取り除く一方、磁気メディア製品に取り付けた磁気機械式マーカーに対して、それが非活動化装置の上面に、そして該上面に平行な水平面内に置かれたときに、前記水平面内のマーカーの向きに無関係に、信頼できる非活動化を行う。さらに、本発明に従い提供された非活動化装置は低電力レベルで作動しかつ近くのビデオモニタその他の電子装置に干渉しにくく、低コストで生産可能である。
本発明のこれまで述べた目的、特徴及び利点の他の目的、特徴及び利点は、以下に説明する発明の好ましい実施形態の詳細な説明と図面（同様な構成要素及びパーツについては同様な参照番号を全図面を通して用いている）からさらに理解できるであろう。
【図面の簡単な説明】
図１は、本発明の実施形態のマーカー非活動化装置をそのハウジングカバーを取り除いて示す平面図。
図２は、図１の装置を図１のII−II線に沿って示す断面図。
図３は、図１の非活動化装置の電子要素を概略的に示す図。
図４は、マーカー非活動化装置の別の実施形態をそのハウジングカバーを取り除いて示す平面図。
好ましい実施形態の詳細な説明
図１乃至３に言及して本発明の第１実施形態をここで説明する。図１は本発明に従い提供された非活動化装置１０の平面図である。図１は、装置１０のハウジングカバーを省略し、かつ、装置の要素間の電力回路または電子結合を省略して示す装置１０の概略図である。
装置１０はコイルＬ１，Ｌ２，Ｌ３からなるコイルアレイを含む。コイルＬ１−Ｌ３は、全て実質的に同一平面内にあり、円形である。
図１にはまた、１点鎖線の矢印１２で示すＸ方向軸と、該Ｘ軸に垂直な１点鎖線の矢印１４で示すＹ方向軸が示されている。
コイルＬ１，Ｌ２はＹ方向軸に平行な軸上で一直線上に配列されていることが図１からわかる。コイルＬ１，Ｌ２は、また、互いに極めて接近して配列され、あるいは、互いに接して共通の接点を有するように配列される。好ましくは、コイルＬ１とＬ２は大きさが実質的に等しい。コイルＬ３は、図１に示すように、コイルＬ１，Ｌ２よりも実質的に大きく、そしてコイルＬ１，Ｌ２からＸ軸方向に隔てられている。コイルＬ３の中心点Ｐ３と、コイルＬ１とＬ２の接点Ｐは実質的にＸ方向軸上にある。
好ましい実施形態において、コイルＬ１，Ｌ２はそれぞれ約１インチ（約2.5cm）の内径（コイルの中心点Ｐ１又はＰ２から内周までの距離）と、約１．６インチ（約4.1cm）の外径（コイルの中心点から外周までの距離）を有する。コイルＬ３の内径（コイルの中心点Ｐ３から内周までの距離）は約１．５インチ（約3.8cm）であり、外径は約２．７インチ（約6.8cm）である。コイルＬ３から小さいコイルＬ１，Ｌ２までの中点から中点までの距離は、約５．５インチ（約14cm）であり、コイル３の周囲から内径が約１インチである小さいコイルＬ１，Ｌ２の周囲までの距離は非常に短かい。
好ましくは、全てのコイルＬ１−Ｌ３は「パンケーキ」コイルである。当業者であれば理解できるように、「パンケーキ」コイルは背が非常に低く、コイルの面に垂直な方向の厚みがコイルの外径と内径の差の約１０％以下である。そういった構成は、コイルを３巻以下にして垂直方向に重ねることにより得ることができる。コイルの厚さはまた、コイルによって生成される磁界の分布変化を最小にするようにコイルを通して実質的に均一であることが望ましい。コイルＬ１−Ｌ３の好ましい実施形態は２８ゲージの磁気ワイヤを用いて形成される。
Ｌ１−Ｌ３は、磁気シールドとして作用する実質的に平坦なスチールシート１６上に支持されている。スチールシート１６は、例えば、０．２０インチ（約5.1mm）厚の４３０ステンレススチールから形成される。図１ではスチールシート１６は実質的に長方形として示してあるが、その他の形状とすることもできる。例えば、発明の好ましい実施形態においては、スチールシート１６をほぼセイヨウナシ型の外形としてコイルアレイの外形と重なるようにし、コイルの外周よりも少し大きく設け、大きいコイルＬ３と小さいコイルＬ１，Ｌ２との間の幅の狭い「くびれ」領域を設ける。
図２に示すように、コイルアレイとメタルシート１６はハウジング１８内に保持されている。ハウジングは、例えば、プラスチック成型により形成され、実質的に平坦な上面２０を有し、この上面に、あるいは上面の近くに非活動化のためのマーカーが置かれる。図１からわかるように、上面２０はＹ方向よりもＸ方向の方が長い。
コイルアレイを活動化させる好ましい実施形態を概略的に図３に示す。図３からわかるように、コイルＬ１，Ｌ２，Ｌ３は直列接続され、１２０Ｖ、６０Hzのスタンバイ電流信号から降圧変圧器２２によって得られる交流電流駆動信号によって駆動される。発明の好ましい実施形態において、駆動信号は１６Ｖの最大振幅を有し、コイルは電流を例えば０．５Ａよりも十分低い値に制限するインピーダンスを有するので非活動化装置が消費する電力レベルは低い。
駆動信号が逆位相でコイルＬ１とＬ２に与えられるようにコイルＬ１とＬ２とは接続されている。その結果、コイルＬ１とＬ２内のそれぞれの電流は点Ｐ又はその近くにおいて実質的に互いに強化し合い、点Ｐでのこの強化電流は、矢印２４−１で示すように、Ｙ方向に強力な磁界を発生させる。２４−２乃至２４−９の番号を付した矢印は、矢印のそれぞれの位置でのコイルアレイによって生じる磁界の方向を示す。
作動の際、駆動信号はコイルＬ１，Ｌ２，Ｌ３に連続的に与えられ、非活動化されるマーカーを担持する商品は、非活動化装置１０のハウジング１８の上面２０の近辺でＸ方向軸（１点鎖線の矢印１２）に沿ってさっと動かされる。図１に示すように、Ｘ軸方向に沿ってさっと動かされたマーカーは、矢印２４−１で表す強力なＹ方向の磁界を受け、また、大きなコイルＬ３によって発生したある程度の大きさのＸ方向の磁界（矢印２４−６及び２４−８で示す）を受ける。Ｘ方向軸に沿って水平にさっと動かされたマーカーは、非活動化装置の上面に平行な平面内のマーカーの向きに関係なく、マーカーの全長に渡って向けられた磁界に曝される。
非活動化装置１０は、上記米国特許出願第０８／６９７，６２９号に開示されるタイプの低保持力材料からなる偏倚要素を含む磁気機械式マーカーと関連して用いることが好ましい。そういった材料の１つは、ペンシルバニア州リーディングのカーペンタ・テクノロジー・コーポレーションから入手可能な「MagnaDur20-4」である。コイルアレイによって生成された磁界が十分に強く、低保持力偏倚要素を有し非活動化装置１０の上面２０から上方に約１０mmまでの距離の範囲において水平にＸ方向軸に沿ってさっと動かされたマーカーを、Ｘ及びＹ方向に対するマーカーの向きに関係なく、必ず非活動化させるように駆動信号の振幅を設けることが好ましい。
コイルアレイによって生成される磁界の局部的ピークを最小にし、それにより、非活動化装置によって生成される磁界によって磁気メディア製品やクレジットカードが害を受ける危険を最小にしあるいはなくすようにコイルＬ１−Ｌ３を形成し配列することも本発明の意義のある別の特徴である。丸い平らな形状のコイルは、局部的磁界ピークを発生させるような正方形のコイル又は角を有するコイルによって典型的に生成される磁界ピークを生じさせない傾向がある。
好ましくは、駆動信号は、コイルアレイによって生成される磁界が非活動化装置のハウジング１８の上面２０上のいずれの点においても７５Ｏｅのピークレベルを超えないようなレベルで提供される。７５Ｏｅというレベルは、予め録音されたオーディオテープ若しくは未録音のオーディオテープ又はその他のタイプのメディア製品がその磁界にさらされても劣化されない程度の許容されるレベルである。７５Ｏｅというレベルは、また、クレジットカードに対しても安全であると考えられる。
上面２０の上方に非活動化するためのより大きい距離を必要とするとき、上面２０上の全ての点においてピーク磁界が１２５Ｏｅを超えないようなレベルの駆動信号で実施することができる。さらに高い電流レベル、但し、ピーク磁界が上面２０上のいかなる点においても２００Ｏｅを超えないようなレベルでの作動もまた実施できる。２００Ｏｅというレベルはビデオテープにとって安全と考えられる。
また、コイルの形状により、活動装置１０の上の距離が大きくなると磁界の強さは段階的に小さくなり、装置から所定距離隔てた位置で確実にマーカーを非活動化でき、かつ、装置の使用は磁気メディア製品に適する。上述した低保持力偏倚材料の１つを磁気機械式マーカーに用いれば、約２５Ｏｅのピークレベルを有する交番磁界を与えることにより確実にマーカーを非活動化することができる。
発明の代替実施形態の非活動化装置１０を図４に示す。図４の実施形態において、図１のコイルＬ３はコイルＬ３’とＬ４に置き換えられる。図４からわかるように、コイルＬ３’，Ｌ４はコイルＬ１，Ｌ２と同サイズであり、実質的にコイルＬ１，Ｌ２と同一である。コイルＬ３’，Ｌ４はＸ方向にコイルＬ１，Ｌ２から離れており、Ｘ方向軸上で一直線上に配列されている。４つの全てのコイルは直列に接続されており、コイルＬ３’とＬ４が逆位相で励起するようにこれらの２つのコイルの間の接続がなされている。従って、コイルＬ３’とＬ４を流れるぞれぞれの電流は、これらのコイルの外周部が互いに接する点又は非常に近づいた点Ｐ’又はこの点の近傍において互いに強化される。従ってコイルＬ３’とＬ４は、矢印２４−１０で示すように、点Ｐ’又はその近傍でＸ方向に強い磁界を発生させる。図４の非活動化装置１０’の近くでＸ方向軸に沿ってマーカーをさっと動かすことによって、矢印２４−１によって表されるＹ方向の強い磁界と、矢印２４−１０によって表されるＸ方向の強い磁界の両方をマーカーが受けることが理解される。図４に示すコイルは、図１の実施例のように、望ましくない磁界ピークを最小にし、それにより磁気メディア製品への害を防止するような幾何学的形状を有する。
本発明に従って提供される非活動化装置の別の利点は、比較的単純な駆動回路であり、低コストで製造可能なことである。さらに、駆動回路が連続して作動するため、もはやマーカーの検出をする必要がなく、また、従来の非活動化装置が備えていた駆動パルストリガー回路を必要としない。
駆動回路を連続して運転することが望ましいが、規則的な短いインタバルでの、かつ、実質的なデューティサイクルのパルスで駆動信号を与えることもできる。
発明から逸脱することなく上記説明した非活動化装置に種々のその他の変更をすることが可能である。従って、発明の特に好ましい実施形態は説明のためであり、その形態に限定されるものではない。発明の真の精神及び範囲は、以下に添付した請求の範囲に記載される。
【図１】
0003954654.tif 000002
【図２】
0003954654.tif 000003
【図３】
0003954654.tif 000004
【図４】
0003954654.tif 000005